(57)【要約】      （修正有）【課題】電子部品本来の特性を測定できる電子部品用測定ソケットを提供する。【解決手段】一端側に突起１１ａを有する水平部１１ｂ及び他端側に垂直部１１ｃを有するＬ字状の金属端子板１１と、前記垂直部１１ｃが貫通して固着するとともに前記水平部１１ｂが露出した樹脂体９とを有し、前記金属端子板１１は前記樹脂体９の両端側に各一対ずつが設けられ、前記水平部１１ｂの一端側を中央部として他端側を外周部とするとともに、前記一対の金属端子板１１は板面を対向した電子部品用ソケットにおいて、前記一対の金属端子板１１は前記中央部から外周部に向かって互いに離反する方向に延出した構成とする。【選択図】図１
2008267886.tif 000002
【特許請求の範囲】
【請求項１】
一端側に突起を有する水平部及び他端側に垂直部を有するＬ字状の金属端子板と、前記垂直部が貫通して固着するとともに前記水平部が露出した樹脂体とを有し、前記金属端子板は前記樹脂体の両端側に各一対ずつが設けられ、前記水平部の一端側を中央部として他端側を外周部とするとともに、前記一対の金属端子板は板面を対向した電子部品用ソケットにおいて、前記一対の金属端子板は前記中央部から外周部に向かって互いに離反する方向に延出したことを特徴とする電子部品用ソケット。
【請求項２】
請求項１において、前記電子部品は水晶デバイスである電子部品用ソケット。
【発明の詳細な説明】
【技術分野】
【０００１】
本発明は電子部品用測定ソケットを技術分野とし、特に水晶振動子等の圧電デバイスを対象とした測定ソケットに関する。
【背景技術】
【０００２】
（発明の背景）
圧電デバイスとしての例えば水晶振動子は周波数制御素子として周知され、例えば発振回路等に組み込まれて周波数基準源として機能する。近年では、小型化例えば平面外形が1.6×1.2ｍｍ程度までに進行し、これに対応した水晶振動子用の測定ソケットが求められている。
【０００３】
（従来技術の一例）
第２図は一従来例を説明する水晶振動子の断面図、第３図（ａ）は水晶振動子と測定ソケットの取付分解図、同図（ｂ）は測定ソケットの平面図である。
【０００４】
水晶振動子１は凹状の容器本体２に水晶片３を収容して金属カバー４を被せて密閉封入する。水晶片３は両主面の図示しない励振電極から引出電極が延出した例えば一端部両側が導電性接着剤５によって固着される。そして、金属カバー４がシーム溶接等によって接合され、水晶片３を密閉封入する。容器本体２の外底面には外部端子６を有し、一組の対角方向に一対の水晶端子６ａが、他組の対角方向にアース端子６ｂを有する。水晶端子６ａには水晶片３の引出電極が、アース端子６ｂには金属カバー４が電気的に接続する。
【０００５】
水晶振動子用の測定ソケット７は、中央部に凹部８を有する樹脂体９と、樹脂体９を貫通して凹部８の内底面に突出した４本の金属端子棒１０からなる。金属端子棒１０は樹脂体９の両側に一対ずつが設けられる。これらは、一般には樹脂体９に予め貫通孔を設けて、金属端子棒１０を圧入によって固着する。このようなものでは、測定ソケット７の凹部８に水晶振動子１を位置決めし、水晶振動子１の底面の４角部に露出した外部端子６に当接する。そして、金属端子棒１０を図示しない測定器に接続して、水晶振動子１の振動周波数等を測定する。
【０００６】
そして、水晶振動子１の小型化が進行すると、測定ソケット７の樹脂体９の両側に設ける各一対の貫通孔の間隔が狭くなって、実際には貫通孔を形成できなくなる。なお、貫通孔の直径を小さくすると金属端子棒１０もその分細くなって圧入できなくなる。このことから、一般には、第４図に示したように、金属端子棒１０を平板状とした金属端子板１１とする。なお、第４図（ａ）は測定ソケットの平面図、同図（ｂ）はＡ−Ａ断面図、同図（ｃ）は金属端子板の図である。
【０００７】
金属端子板１１は一端側（先端側）に突起１１ａを有する水平部１１ｂ及び他端側に垂直部１１ｃを有し、全体的にＬ字状とする。そして、樹脂体９の凹部８底面の両端側に各一対ずつが設けられ、金属端子板１１の垂直部１１ｃが凹部８の底面を貫通して固着されて水平部１１ｂを内底面上に露出する。そして、金属端子板１１の一端側を中央部として他端側を外周部として配置され、各一対の金属端子板１１は板面を対向する。
【０００８】
この例では、樹脂体９の凹部は両端部の両側に溝８ａを有するＨ状として溝８ａの延出端側を垂直部１２ｂが貫通する。そして、樹脂体９の中央には幅方向を横断する突出部９ａを有し、両端側の一対の金属端子板１１を仕切るとともに先端側の突起１１ａをこれより高い位置とする。これにより、水晶振動子１の底面が水平部１１ｂの先端側の突起１１ａを当接した際、水平部１１ｂが弾性作用を生じて接触を確実にする。
【０００９】
このようなものでは、樹脂体９に細長い矩形状の貫通孔を設けて垂直部１１ｃを圧入によって貫通して固着する。この場合、金属端子板１１の垂直部１１ｃは平板状とするので、金属端子棒１０の直径よりもその厚みを狭くできて小型化に対応する。
【特許文献１】特開２００２−３２４６４３（平板状の金属端子板とする点）
【発明の開示】
【発明が解決しようとする課題】
【００１０】
（従来技術の問題点）
しかしながら、上記構成の測定ソケット７では、金属端子板１１を平板状とし、各両端側で一対の金属端子板１１が面対向する。したがって、特に垂直部１１ｃの貫通部では樹脂を誘電体として、一対の端子板間で浮遊容量を生じる。この場合は、各両端側で水晶端子６ａとアース端子６ｂが面対向するので、水晶端子６ａとアース端子６ｂとの間の浮遊容量となる。これにより、水晶振動子１本来の振動特性例えば振動周波数を測定できない問題があった。これらは水晶振動子１のみならず、水晶発振器等の圧電デバイスさらには他の電子部品でも同様の問題を生ずる。
【００１１】
（発明の目的）
本発明は電子部品本来の特性を測定できる電子部品用測定ソケットを提供することを目的とする。
【課題を解決するための手段】
【００１２】
本発明は、特許請求の範囲（請求項１）に示したように、一端側に突起を有する水平部及び他端側に垂直部を有するＬ字状の金属端子板と、前記垂直部が貫通して固着するとともに前記水平部が露出した樹脂体とを有し、前記金属端子板は前記樹脂体の両端側に各一対ずつが設けられ、前記水平部の一端側を中央部として他端側を外周部とするとともに、前記一対の金属端子板は板面を対向した電子部品用ソケットにおいて、前記一対の金属端子板は前記中央部から外周部に向かって互いに離反する方向に延出した構成とする。
【発明の効果】
【００１３】
このような構成であれば、一対の金属端子板は互いに離反する方向に延出するので、一対の金属端子板の間隔が広がり、浮遊容量を小さくできる。したがって、電子部品本来の特性を測定できる。
【００１４】
（実施態様項）
本発明の請求項２では、請求項１において、前記電子部品は水晶デバイスとする。これにより、水晶振動子本来の振動特性に基づいた各特性例えば振動周波数や発振器を構成した場合の発振周波数を確実に測定できる。
【発明を実施するための最良の形態】
【００１５】
第１図は本発明の一実施形態を説明する測定ソケットの平面図である。なお、前従来例と同一部分には同番号を付与してその説明は簡略又は省略する。
【００１６】
測定ソケット７は前述のように樹脂体９の両側に、垂直部１１ｃが凹部８の底面を貫通固着して、先端側に突起１１ａを有する水平部１１ｂが露出した各一対ずつのＬ字状の金属端子板１１を配置してなる（前第４図参照）。ここでも、樹脂体９の凹部８の中央には一対の金属端子板１１を仕切って、弾性作用を持たせる突出部９ａを有する。
【００１７】
そして、ここでは、樹脂体９の凹部８の４角部から放射状に溝８ａを延出する。そして、溝８ａの延出端で金属端子板１１の垂直部１１ｃが貫通・固着し、水平部１１ｂが凹部中央部に延出する。要するに、樹脂体９の両側における各一対の金属端子板１１は、中央部に位置する水平部１１ｂの先端の間隔を最小として、外周に向かって離反する配置とする。
【００１８】
このような構成であれば、一対の金属端子板１１の間隔は従来よりも広がるので、両者間の距離に反比例して浮遊容量は小さくなる。したがって、水晶振動子１を測定ソケット７の凹部内に搭載して振動特性を測定した場合、浮遊容量の影響を軽減して水晶振動子本来の特性例えば振動周波数を測定できる。
【００１９】
（他の事項）
上記実施形態では水晶振動子を測定の対象としたが、水晶発振器等の圧電デバイスを測定する場合でも同様に本来の発振特性を測定できる。そして、圧電デバイス以外の電子部品であっても、基本的に４端子のものであれば測定できる。
【図面の簡単な説明】
【００２０】
【図１】本発明の一実施形態を説明する測定ソケットの平面図である。
【図２】従来例を説明する水晶振動子の断面図である。
【図３】、従来例を説明する図で、同図（ａ）は水晶振動子と測定ソケットの取付分解図、同図（ｂ）は測定ソケットの平面図である。
【図４】他の従来例を説明する図で、同図（ａ）測定ソケットの平面図、同図（ｂ）はＡ−Ａ断面図、同図（ｃ）は金属端子板の図である。
【符号の説明】
【００２１】
１  水晶振動子、２  容器本体、３  水晶片、４  金属カバー、５  導電性接着剤、６  外部端子、７  測定ソケット、８  凹部、９  樹脂体、１０  金属端子棒、１１  金属端子板。
【図１】
2008267886.tif 000003
【図４】
2008267886.tif 000004
【図２】
2008267886.tif 000005
【図３】
2008267886.tif 000006